(57)【特許請求の範囲】
【請求項１】
付設管路の途中に上端が開放可能な垂直継手部を有し、前記上端を開放して遮断治具を挿入するガス遮断を行うガス遮断工法であって、前記垂直継手部を含む前記付設管路をライニング処理した更正修理済み管路に対して前記遮断治具を挿入するガス遮断工法において、
前記上端に穿孔機を装着し、前記垂直継手部内の樹脂溜まりを開通する穿孔工程と、
前記上端の開口から前記垂直継手部内に遮断治具を挿入して前記付設管路のガス流通を遮断する遮断工程とを有し、
前記穿孔工程では、一端が前記穿孔機内部の穿孔カス排出空間に連通する取り付け口に接続される吸引ホースの他端を負圧回収容器にバルブを介して接続し、前記バルブを閉じて前記負圧回収容器を予め負圧状態にしておき、前記バルブを開いて穿孔を行うことで、穿孔中に発生する樹脂溜まりの穿孔カスを前記負圧回収容器内に回収することを特徴とする更正修理済み管路のガス遮断工法。
【請求項２】
前記穿孔工程では、前記穿孔機の削り取り作用によって、前記垂直継手部内面の遮断部を平滑化することを特徴とする請求項１に記載された更正修理済み管路のガス遮断工法。
【請求項３】
前記各工程は、前記上端に装着されたガスバッグを介して行われることを特徴とする請求項１又は２に記載された更正修理済み管路のガス遮断工法。
【発明の詳細な説明】
【技術分野】
【０００１】
本発明は、付設管路の途中に上端が開放可能な垂直継手部を有し、前記上端を開放して遮断治具を挿入するガス遮断工法であって、前記垂直継手部を含む前記付設管路をライニング処理した更正修理済み管路に対して前記遮断治具を挿入する更正修理済み管路のガス遮断工法に関するものである。
【背景技術】
【０００２】
一般に、道路下に付設される本支管から私有地の家屋内等にガス管路を引き込むには、図１に示すような形態の管路の付設がなされている。すなわち、道路下に付設されている本支管Ａからは、分岐継手部Ｃ１を介して管路Ｂ１が分岐され、この管路Ｂ１が地境Ｓを挟んだ道路側から私有地側に付設される（地境Ｓから道路側に付設される管路を「供給管」、私有地側に付設される管路を「内管」と呼んでいる）。そして、私有地内では、付設管路Ｂ１，Ｂ２の途中に垂直継手部Ｃ２が設けられ、この垂直継手部Ｃ２から下流側の管路Ｂ２が立て管を介してガスメータＭに接続され、ガスメータＭを介して、端部にガス栓Ｖ１，Ｖ２が設けられた家屋内の配管へ接続される。
【０００３】
このように本支管Ａから分岐した管路に対しては、老朽化した管路を更正修理するためにライニング処理を施すことが一般になされている。この際のライニング工法としては、管路内面に樹脂層を形成する樹脂ライニング工法、或いは管路内面にチューブ状のシール材を反転させながら接着させる反転シール工法等が知られている（例えば、下記特許文献１，２参照）。
【０００４】
【特許文献１】特開平０８−１４１５０１号公報
【特許文献２】特開平０９−７０８８９号公報
【発明の開示】
【発明が解決しようとする課題】
【０００５】
前述した垂直継手部Ｃ２の上端Ｃ２０には開放可能なプラグが装着されており、このプラグを取り外して垂直継手部Ｃ２内に遮断治具を挿入することで、垂直継手部Ｃ２より下流側へのガス供給を遮断することが可能になる。しかしながら、前述したライニング処理が垂直継手部Ｃ２を含む管路Ｂ１，Ｂ２に施された場合には、垂直継手部Ｃ２内の上端Ｃ２０付近にライニング処理に伴う樹脂溜まりが形成されることになるので、これによって上端Ｃ２０が塞がれてしまい、前述した遮断治具によるガス供給の遮断を行うことができない。
【０００６】
したがって、このようなライニング処理が施された更正修理済みの管路に対しては、道路部を掘削した後、本支管Ａの分岐継手部Ｃ１にガスバッグを装着し、この分岐継手部Ｃ１の上端プラグを開放して、分岐継手部Ｃ１内に遮断治具を挿入するガス遮断工事が実施されている。また、道路部が掘削困難な場合には、私有地内の掘削可能な部分を掘削して、管路Ｂ１，Ｂ２を露出させた後、油圧式スクイズ装置を用いて圧着遮断することも実施されている。
【０００７】
しかしながら、前者の場合には、道路部を掘削することからガス遮断が完了するまでにかなりの時間（通常３０分以上）を要し、緊急時には対応できないという問題がある。更に、道路部を掘削する場合には、道路（特に舗装道路）を原型復旧するための費用や道路掘削に伴う産業廃棄物の処理費用が嵩み、施工コストが高くなるという問題もある。また、後者の場合には、管路内面に形成されたライニングが損傷するので、ガス遮断後にガス供給を再開する際には、管路の取り換え工事が必要になり、結果的に大規模な工事を行わなければならないという問題がある。
【０００８】
これに対して、例えば特開平１０−１５１５０５号公報に記載されるように、垂直継手部Ｃ２の上端付近の樹脂溜まりを開通する切削治具も提案されているが、この切削治具を用いて垂直継手部Ｃ２の上端を開放させると、削り取られた樹脂カスが管路の下流側に混入してしまい、下流側に設置されるガスメータ等の機器に悪影響を及ぼすといった問題が生じる。また、垂直継手部Ｃ２の内面に樹脂が付着しているので、遮断治具を挿入しても内面に遮断部を密着させることができず、有効にガス遮断を行うことができないという問題も生じる。
【０００９】
本発明は、このような事情に対処するために提案されたものであって、道路側を掘削することなく、本支管から分岐した更正修理済みの管路に対してガス遮断を簡易且つ迅速に行うことができ、低コストのガス遮断工事を実現できること、また、更正修理済みの管路に対して遮断治具を挿入するに際して、樹脂カスの下流側への混入を防ぎ、良好な遮断治具による遮断性能を確保することができること、等が本発明の目的である。
【課題を解決するための手段】
【００１０】
このような目的を達成するために、本発明は、一つには、付設管路の途中に上端が開放可能な垂直継手部を有し、前記上端を開放して遮断治具を挿入するガス遮断を行うガス遮断工法であって、前記垂直継手部を含む前記付設管路をライニング処理した更正修理済み管路に対して前記遮断治具を挿入するガス遮断工法において、前記上端に穿孔機を装着し、前記垂直継手部内の樹脂溜まりを開通する穿孔工程と、前記上端の開口から前記垂直継手部内に遮断治具を挿入して前記付設管路のガス流通を遮断する遮断工程とを有し、前記穿孔工程では、一端が前記穿孔機内部の穿孔カス排出空間に連通する取り付け口に接続される吸引ホースの他端を負圧回収容器にバルブを介して接続し、前記バルブを閉じて前記負圧回収容器を予め負圧状態にしておき、前記バルブを開いて穿孔を行うことで、穿孔中に発生する樹脂溜まりの穿孔カスを前記負圧回収容器内に回収することを特徴とする。
【００１１】
また一つには、前述の特徴に併せて、前記穿孔工程では、前記穿孔機の削り取り作用によって、前記垂直継手部内面の遮断部を平滑化することを特徴とする。
【００１２】
また一つには、前述の特徴に併せて、前記各工程は、前記上端に装着されたガスバッグを介して行われることを特徴とする。
【００１３】
このような特徴を有する更正修理済み管路のガス遮断工法によると、ライニング処理によって形成された垂直継手部の樹脂溜まりを穿孔工程で開通して、そこから遮断治具を挿入する遮断工程を実行できるので、垂直継手部が私有地内に存在する管路であれば、道路側を掘削することなく、速やかにガス遮断を実行することができる。この際に、穿孔工程では、一端が前記穿孔機内部の穿孔カス排出空間に連通する取り付け口に接続される吸引ホースの他端を負圧回収容器に接続し、穿孔中に発生する樹脂溜まりの穿孔カスを前記負圧回収容器内に回収するので、樹脂の穿孔カスが下流側に混入してガスメータ等の機器に悪影響を及ぼすこともない。
【００１４】
また、穿孔工程では、穿孔機の削り取り作用によって、垂直継手部内面の遮断部を平滑化する処理がなされるので、遮断治具を平滑化された遮断部に密着させることができ、良好な遮断治具による遮断性能を確保することができる。
【００１５】
更には、これらの工程は、垂直継手部上端に装着されたガスバッグを介して行われるので、周辺へのガス噴出を最小限に抑えた安全な作業を実現することができる。
【発明の効果】
【００１６】
前述の特徴によって、本発明に係る更正修理済み管路のガス遮断工法によると、道路側を掘削することなく、本支管から分岐した更正修理済みの管路に対してガス遮断を簡易且つ迅速に行うことができ、低コストのガス遮断工事を実現することができる。また、更正修理済みの管路に対して遮断治具を挿入するに際して、樹脂カスの下流側への混入を防ぎ、良好な遮断治具による遮断性能を確保することができる。
【発明を実施するための最良の形態】
【００１７】
以下、本発明の実施形態を図面に基づいて説明する。図２〜図４は、本発明の実施形態に係る更正修理済み管路のガス遮断工法を説明する説明図である。本発明の実施形態では、付設管路Ｂ１，Ｂ２の途中に上端Ｃ２０が開放可能な垂直継手部Ｃ２を有するもので、私有地等を掘削することでこの垂直継手部Ｃ２を露出させ、開放された上端Ｃ２０から垂直継手部Ｃ２内に遮断治具を挿入して、それより下流側へのガス供給を遮断するものである。この際、垂直継手部Ｃ２を含む付設管路Ｂ１，Ｂ２には、ライニング処理による更正修理が施されていることが前提になっており、図２に示すように、垂直継手部Ｃ２内の上端Ｃ２０付近には、樹脂溜まりＪが形成されて、上端Ｃ２０が塞がれた状態になっている。
【００１８】
これに対して、垂直継手部Ｃ２の上端Ｃ２０に穿孔機１０を装着して、垂直継手部Ｃ２内の樹脂溜まりＪを穿孔によって開通する。穿孔機１０は、センターに孔を開けるドリル１０Ａとホールソー１０Ｂとを備えており、取り付け口１０Ｃに吸引ホース１１の一端が接続されている。図３に示すように、穿孔機１０の内部には、穿孔カス排出空間１０Ｄが形成されており、この穿孔カス排出空間１０Ｄに連通する取り付け口１０Ｃに吸引ホース１１の一端が接続されることになる。
【００１９】
そして、吸引ホース１１の他端は、バルブ１３を介して負圧回収容器１２に接続されている。負圧回収容器１２は、内部に連通する圧力ゲージ１２Ａが設けられた空洞の耐圧容器であり、フィルタ１４及びバルブ１５を介して吸引ポンプ１６に接続されている。
【００２０】
穿孔機１０によって垂直継手部Ｃ２内の樹脂溜まりＪを穿孔する場合には、バルブ１３を閉じてバルブ１５を開放し、吸引ポンプ１６によって予め負圧回収容器１２内を負圧状態にしておき、穿孔機１０を上端Ｃ２０に装着して、バルブ１５を閉じてバルブ１３を開放した状態で穿孔を行う。これによって、負圧回収容器１２内の負圧吸引力によって穿孔時の樹脂カスが負圧回収容器１２内に回収されることになり、垂直継手部Ｃ２の下流側に樹脂カスが混入することを防ぐことができる。
【００２１】
また、穿孔機１０のホールソー１０Ｂで樹脂溜まりＪの開通を行った後には、必要に応じて、ホールソー１０Ｂの削り取り作用によって、垂直継手部Ｃ２内面の遮断部を平滑化する（図３参照）。垂直継手部Ｃ２の内面は樹脂の付着によって凹凸が形成される場合があり、垂直継手部Ｃ２内面の遮断部にこのような凹凸があると、遮断治具による良好な遮断性能を得ることができず、越しガスが生じることになる。これを防ぐために、前述した穿孔機１０の削り取り作用を利用して、垂直継手部Ｃ２内面の遮断部を平滑化する。
【００２２】
そして、これらの工程が終了した後に、図４に示すように、垂直継手部Ｃ２の上端Ｃ２０から穿孔機１０を取り外し、開通した上端Ｃ２０から遮断治具２０を挿入して、垂直継手部Ｃ２をガス遮断する。遮断治具２０は、エスチーストッパと呼ばれる周知の治具を作用することができる。
【００２３】
本発明の実施形態に係る更正修理済み管路のガス遮断工法のより具体的な工程を図５に従ってまとめると以下のとおりになる。
【００２４】
先ず、準備工程Ｓ１としては、私有地等を掘削して垂直継手部Ｃ２を露出させる。そして、垂直継手部Ｃ２の上端Ｃ２０に付着している土をワイヤブラシ等で除去する。一方、負圧回収容器１２のバルブ１３を閉じてバルブ１５を開放し、吸引ポンプ１６をバルブ１５側に接続して負圧回収容器１２の内部を予め負圧状態にしておく。
【００２５】
次に、垂直継手部の上端開放工程としては、上端Ｃ２０のプラグを緩めて、上端Ｃ２０にガスバッグを装着し、ガスバッグ内でプラグを取り外す。そして、上端Ｃ２０に穿孔機１０を取り付け（Ｓ３）、予め負圧状態にした負圧回収容器１２を吸引ホース１１を介して穿孔機１０に接続する。
【００２６】
その後、穿孔機１０側のバルブ１３を開放して、穿孔機１０を駆動させ上端Ｃ２０の樹脂溜まりＪに対して穿孔を行う（Ｓ５）。この穿孔中に発生した樹脂の穿孔カスは、負圧によって負圧回収容器１２内に回収されることになる。樹脂溜まりＪが開通すると、バルブ１３を閉じて負圧回収容器１２を取り外す（Ｓ６）。
【００２７】
そして、上端Ｃ２０に装着しているガスバッグ内で穿孔機１０を取り外す（Ｓ７）。この際、予め遮断治具をガスバッグ内に入れておき、穿孔機１０を取り外すと同時に、上端Ｃ２０の開通口から遮断治具２０を挿入し（Ｓ８）、挿入後遮断治具を拡径して、図４に示すようにガス遮断を完了する（Ｓ９）。
【００２８】
この際、下流側への越しガスを検知して、垂直継手部Ｃ２内のライニングが平滑でなく、遮断治具によっても充分な遮断性能を得ることができない場合には、再度穿孔機１０による穿孔を行って、図３に示すような穿孔機１０の削り取り作用によって、垂直継手部Ｃ２内面の平滑化を行い、その後に遮断治具２０によるガス遮断を行う。
【００２９】
本発明の実施形態は、このような特徴を具備するので、道路側を掘削することなく、本支管から分岐した更正修理済みの管路に対してガス遮断を簡易且つ迅速に行うことができ、低コストのガス遮断工事を実現できる。また、更正修理済みの管路に対して遮断治具を挿入するに際して、樹脂カスの下流側への混入を防ぎ、良好な遮断治具による遮断性能を確保することができる。
【図面の簡単な説明】
【００３０】
【図１】道路下に付設される本支管から私有地の家屋内等にガス管路を引き込むに際の管路付設形態を示す説明図である。
【図２】本発明の実施形態に係る更正修理済み管路のガス遮断工法を説明する説明図である。
【図３】本発明の実施形態に係る更正修理済み管路のガス遮断工法を説明する説明図である。
【図４】本発明の実施形態に係る更正修理済み管路のガス遮断工法を説明する説明図である。
【図５】本発明の実施形態に係る更正修理済み管路のガス遮断工法の流れを示す説明図である。
【符号の説明】
【００３１】
Ａ    本支管
Ｂ１，Ｂ２    管路
Ｃ１    分岐継手部
Ｃ２    垂直継手部
Ｃ２０    上端
１０    穿孔機
１０Ａ    ドリル
１０Ｂ    ホールソー
１０Ｃ    取り付け口
１０Ｄ    穿孔カス排出空間
１１    吸引ホース
１２    負圧回収容器
１３，１５    バルブ
１４    フィルタ
１６    吸引ポンプ
２０    遮断治具
【図１】
0004657031.tif 000002
【図２】
0004657031.tif 000003
【図３】
0004657031.tif 000004
【図４】
0004657031.tif 000005
【図５】
0004657031.tif 000006